(57)【要約】【課題】収納物に付着した水により周囲を濡らすことがなく、収納物を隠すことができる水切り籠を提供する。【解決手段】底部２と、内外を連通する開口部６を有する囲い部３とを備えた水切り籠１において、囲い部３に、半透明又は不透明な合成樹脂製のシート材21を着脱可能に設け、このシート材21により開口部６を塞ぐから、外してシート材21を交換することができ、所望の色やデザインのシート材21を用いることができると共にシート材21を交換することにより飽きのこない外観が得られる。また、囲い部３にシート材21を取り付けて内部を見え難くすることができると共に、周囲を水に濡らすことを防止できる。しかも、シート材21を外すことにより、シート材21と共に囲い部３の洗浄を容易に行うことができ、手入れが容易で、囲い部３の構成が簡易となる。【選択図】図１
0003183275.tif 000002
【実用新案登録請求の範囲】
【請求項１】
底部と、内外を連通する開口部を有する囲い部とを備えた水切り籠において、前記囲い部に、半透明又は不透明な合成樹脂製のシート材を着脱可能に設け、このシート材により前記開口部を塞ぐことを特徴とする水切り籠。
【請求項２】
前記囲い部は、上下多段に設けた横部材と、この横部材に交差して設けた縦部材とを備え、上下に隣合う前記横部材の間に前記開口部が設けられ、前記囲い部の内側に沿って前記シート材を着脱可能に設けたことを特徴とする請求項１記載の水切り籠。
【請求項３】
前記シート材が前記囲い部の略全周に設けられ、前記シート材を前記囲い部の周方向で複数に分割した分割シート材を備えることを特徴とする請求項２記載の水切り籠。
【請求項４】
前記分割シート材の端部が着脱可能に係止する係止受け部を備えることを特徴とする請求項３記載の水切り籠。
【請求項５】
前記囲い部の角部は湾曲状に形成され、前記分割シート材が前記角部の内側に沿って屈曲する可撓性を有することを特徴とする請求項４記載の水切り籠。
【請求項６】
前記係止受け部は前記囲い部の隣り合う角部の間の前記縦部材に設けられると共に、この縦部材の内側に該係止受け部が設けられ、この係止受け部の両側に、周方向に隣合う前記分割シート材の端部の内面がそれぞれ着脱可能に係止し、この係止状態で前記分割シート材の外面が前記横部材の内側又は前記縦部材の内側に当接することを特徴とする請求項４又は５記載の水切り籠。
【請求項７】
前記囲い部の前記開口部に、貫通部又は切欠き部を有する板状部材を設け、この板状部材は前記横線材又は前記縦線材に固定され、外側から前記貫通部又は切欠き部を通して前記シート材を視認可能に構成し、前記シート材の高さが最下段と最上段の前記横部材の間隔に対応していることを特徴とする請求項３〜６のいずれか１項に記載の水切り籠。
【考案の詳細な説明】
【技術分野】
【０００１】
本考案は、底部と、内外を連通する開口部を有する囲い部とを備えた水切り籠に関する。
【背景技術】
【０００２】
従来、水切り籠として、シンク横のカウンター上に載置され、脚部により所定高さで支持される底部と囲い部を有する水切りかごであって、ワイヤーの線材で底部や囲い部を形成したもの（例えば特許文献１）が知られている。
【先行技術文献】
【特許文献】
【０００３】
【特許文献１】実用新案登録第３１７２０５号公報
【特許文献２】実開平６−３８７５９号公報
【考案の開示】
【考案が解決しようとする課題】
【０００４】
上記水切り籠では、囲い部に開口部があるため、内部に濡れた食器を入れると、付着した水により周囲を濡らす虞がある。
【０００５】
また、置き場所によっては内部の食器が視認されることが好ましくない場合がある。例えば、対面キッチンやアイランドキッチンなどでは籠の深さを変えることで水切り籠内の食器を見え難くしている。
【０００６】
また、線材などから成る囲い部はシンプルで意匠性に優れるが、このような従来の水切り籠はシンプルであるが故に意匠的に変化に乏しく面白みに欠ける面がある。これに対して、従来、囲い部に板材などを用い、その板材に塗装などを施すなどした複雑な構造のものもあるが、構造や塗装などにより仕上げに変化をもたせるには限界がある。
【０００７】
そこで、本考案は、上記問題点を解決するものであり、シート材を交換することで飽きのこない外観が得られ、手入れが容易なものとなり、また、収納物に付着した水により周囲を濡らすことがなく、収納物を隠すことができる水切り籠を提供することを目的とする。
【課題を解決するための手段】
【０００８】
請求項１の考案は、底部と、内外を連通する開口部を有する囲い部とを備えた水切り籠において、前記囲い部に、半透明又は不透明な合成樹脂製のシート材を着脱可能に設け、このシート材により前記開口部を塞ぐことを特徴とする。
【０００９】
請求項１の構成によれば、外してシート材を交換することができ、所望の色やデザインを有するシート材や印刷を施したシート材を用いることができると共にシート材を交換することにより飽きのこない外観が得られる。また、囲い部にシート材を取り付けて内部を見え難くすることができると共に、周囲を水に濡らすことを防止できる。しかも、シート材を外すことにより、シート材と共に囲い部の洗浄を容易に行うことができ、手入れが容易で、囲い部の構成が簡易となり、また、買い換え時にはシート材だけを購入すればよく、安価で済み、シート材を変えるだけで全体のイメージを変えることができる。
【００１０】
請求項２の考案は、前記囲い部は、上下多段に設けた横部材と、この横部材に交差して設けた縦部材とを備え、上下に隣合う前記横部材の間に前記開口部が設けられ、前記囲い部の内側に沿って前記シート材を着脱可能に設けたことを特徴とする。
【００１１】
請求項２の構成によれば、囲い部の内面に沿ってシート材を着脱可能に設けることができる。
【００１２】
請求項３の考案は、前記シート材が前記囲い部の略全周に設けられ、前記シート材を前記囲い部の周方向で複数に分割した分割シート材を備えることを特徴とする。
【００１３】
請求項３の構成によれば、シート材を分割することにより、着脱を容易に行うことができる。
【００１４】
請求項４の考案は、前記分割シート材の端部が着脱可能に係止する係止受け部を備えることを特徴とする。
【００１５】
請求項４の構成によれば、分割シート材の端部を係止受け部に係止することにより、囲い部に分割シート材を取り付けることができる。
【００１６】
請求項５の考案は、前記囲い部の角部は湾曲状に形成され、前記分割シートが前記角部の内側に沿って屈曲する可撓性を有することを特徴する。
【００１７】
請求項５の構成によれば、真直ぐな分割シート材を撓ませるようにして囲い部の角部に沿って取り付けることができる。
【００１８】
請求項６の考案は、前記係止受け部は前記囲い部の隣り合う角部の間の前記縦部材に設けられると共に、この縦部材の内側に該係止受け部が設けられ、この係止受け部の両側に、周方向に隣合う前記分割シート材の端部の内面がそれぞれ着脱可能に係止し、この係止状態で前記分割シート材の外面が前記横部材の内側又は前記縦部材の内側に当接することを特徴とする。
【００１９】
請求項６の構成によれば、１箇所の係止受け部に両側の分割シート材の端部を係止することができ、分割シート材の内面が係止受け部に係止すると共に、分割シート材の外面が横部材又は縦部材に当接することにより、分割シート材を安定して取り付けることができ、また、取り外す際は、係止受け部から分割シート材の端部を外せばよく、取り外しも容易に行うことができる。
【００２０】
請求項７の考案は、前記囲い部の前記開口部に、貫通部又は切欠き部を有する板状部材を設け、この板状部材は前記縦線材又は前記横線材に固定され、外側から前記貫通部又は切欠き部を通して前記シート材を視認可能に構成し、前記シート材の高さが最下段と最上段の前記横部材の間隔に対応していることを特徴とする。
【００２１】
請求項７の構成によれば、貫通部又は切欠き部を通して前記シート材を視認可能であるから、貫通部又は切欠き部がシート材の色で浮かび上がって見える。また、シート材の高さが最下段と最上段の横部材の間隔に対応しているから、囲い部の略全体をシート材で覆うことができる。
【考案の効果】
【００２２】
本考案によれば、シート材を交換することで飽きのこない外観が得られ、手入れが容易なものとなり、また、収納物に付着した水により周囲を濡らすことがなく、収納物を隠すことができる水切り籠を提供することができる。
【図面の簡単な説明】
【００２３】
【図１】本考案の実施例１の水切り籠を示すシート材を外した状態の斜視図である。
【図２】同上、シート材を取り付けた状態の斜視図である。
【図３】本考案の実施例２の水切り籠を示すシート材を外した状態の斜視図である。
【図４】同上、シート材を取り付けた状態の斜視図である。
【図５】本考案の実施例３の水切り籠を示すシート材を取り付けた状態の斜視図である。
【考案を実施するための形態】
【００２４】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なる新規な水切り籠を採用することにより、従来にない水切り籠が得られ、その水切り籠について記述する。
【実施例１】
【００２５】
以下、本考案の実施例を添付図面を参照して説明する。図１〜図２は本考案の実施例１を示し、水切り籠１は、底部２と、この底部２の上に周設した囲い部３とを一体に備える。前記底部２は交差方向の複数の線材４，５により形成され、これら線材４，４，５，５の間には間隔が設けられている。
【００２６】
前記囲い部３は、上下３段に設けた横部材たる横線材11，11，11を備え、各横線材11は平面が略長方形形状で角部に湾曲部11Ｗを形成し、これにより前記囲い部３の四方の角部３Ｋ，３Ｋ，３Ｋ，３Ｋが湾曲状に形成されている。また、隣合う角部３Ｋ，３Ｋの間の囲い部長辺部３Ｌの略中央には、縦部材たる縦線材12が設けられ、この縦線材12は、横線材11の内側において該横線材11に溶接などにより固定されている。また、最下段の前記横線材11には、該横線材11の下部に、前記底部及び線材４，５の端部が溶接などにより固定されている。また、囲い部３には、複数の線材11，12の間に開口部６が設けられている。
【００２７】
また、隣合う角部３Ｋ，３Ｋの間の囲い部短辺部３Ｓの外側（水切り籠１における外側）には、略逆Ｕ字状のＵ字線材14が固定され、このＵ字線材14の両下端により脚部14Ｋを構成し、そのＵ字線材14の上部により取っ手部14Ｔを構成している。
【００２８】
さらに、前記底部２の下方には、枠状線材からなるトレー受け15が設けられ、このトレー受け15は前記脚部14Ｋに固定されている。前記トレー受け15の上には、両側の前記脚部14Ｋ，14Ｋ，14Ｋ，14Ｋの間で、水切りトレー16が着脱可能に設けられ、この水切りトレー16に設けた傾斜状平面部16Ｋが所定角度を維持し全体として緩やかに傾斜する傾斜状に形成され、直上に位置する水切り籠１内の食器類（図示せず）から落下した水が、前記傾斜状平面部16Ｋの上を伝って下方へ流動されるように構成している。尚、水切りトレー16は水平に配置したものでもよい。
【００２９】
また、前記各線材４，５，11，12，14は鉄製であって、例えばカチオン電着塗装と粉体塗装が施されている。尚、各線材４，５，11，12，14はステンレス製でもよい。
【００３０】
前記囲い部３の内側に沿ってシート材21が設けられる。このシート材21は、合成樹脂製シート、例えばポリプロピレンシートからなり、可撓性を有する。また、シート材21に、印刷を施したり、合成樹脂の材料の色を変えたりして、半透明又は不透明なものが用いられている。
【００３１】
前記シート材21を前記囲い部の周方向に複数に分割して分割シート材22，22を形成し、この例では、前記縦部材12，12箇所において、２分割された同形の分割シート材22，22を用いている。この例では、分割シート材22の高さは、囲い部３の高さに対応し、取り付け状態で、上下の開口部６，６を覆う。尚、分割シート材22は帯状形状をなし、取り付け前は、平板状で、取り付け時に角部３Ｋの内側に沿うように湾曲状に屈曲し、このように屈曲可能な可撓性を有する。
【００３２】
また、前記縦部材12の内側には、前記分割シート材22の端部22Ｔの内面が係止する係止受け部が設けられている。この例では、係止受け部は、各線材と同一材質のリング23からなり、このリング23の両側で外側に前記分割シート材22，22の端部22Ｔ，22Ｔの内面が着脱可能に係止する。尚、リング23は、最上段の横線材11と中段の横線材11の間に位置する。また、リング23に換えて星型や各種形状を図案化した係止受け部を設けてもよい。
【００３３】
次に、前記水切り籠１について、シート材21の使用方法を中心に説明する。図１に示すように、分割シート材22，22を外した状態では、水切り籠１の内部が視認され、また、囲い部３の開口部６から食器類（図示せず）に付着した水により周囲が濡れる虞がある。
【００３４】
そこで、リング23に分割シート材22の端部22Ｔを係止し、１枚の分割シート材22により囲い部３の略半周を覆う。この場合、分割シート材22の外面は横部材11の内側に当接し、分割シート材22が囲い部３の内面に沿う。また、分割シート材22の端部22Ｔの内面はリング23の外側に係止する。
【００３５】
このようにして囲い部３に分割シート材22，22を取り付けると、全ての開口部６が分割シート材22，22により覆われ、囲い部３のお内部の食器類が見えなくなり、また、食器類に付着した水が撥ねて周囲を濡らすことを防止できる。また、分割シート材22，22により囲い部３を覆うため、横線材11及び縦線材12の間隔を広くすることができ、その分、使用する線材11，12を少なくできる。
【００３６】
また、ポリプロピレンから成る分割シート材22，22は、漂白剤に浸しても色落ちすることがなく、取り外しも簡便にできる。従って、取り外して簡便に洗浄できる。また、分割シート材22は、複数の色のものを選択したり、印刷したりすることができるので、各種のデザインを施し、四季に応じて分割シート材22を交換したり、白と黒のモノトーンや格子の濃淡二色印刷などを施すこともできる。また、ピンクの分割シート材22にさくらの花びら形状を印刷するなどのデザインを採用することもできる。さらに、分割シート材22，22同士で色や印刷のデザインの異なるものを組み合わせてよい。
【００３７】
以上のように本実施例では、請求項１の考案は、底部２と、内外を連通する開口部６を有する囲い部３とを備えた水切り籠１において、囲い部３に、半透明又は不透明な合成樹脂製のシート材21を着脱可能に設け、このシート材21により開口部６を塞ぐから、外してシート材21を交換することができ、所望の色やデザインを有するシート材21や印刷を施したシート材21を用いることができると共にシート材21を交換することにより飽きのこない外観が得られる。また、囲い部３にシート材21を取り付けて内部を見え難くすることができると共に、周囲を水に濡らすことを防止できる。しかも、シート材21を外すことにより、シート材21と共に囲い部３の洗浄を容易に行うことができ、手入れが容易で、囲い部３の構成が簡易となり、また、買い換え時にはシート材21だけを購入すればよく、安価で済み、シート材21を変えるだけで全体のイメージを変えることができる。
【００３８】
また、請求項２の考案は、囲い部３は、上下多段に設けた横部材11，11と、この横部材11，11に交差して設けた縦部材12とを備え、上下に隣合う横部材11，11の間に開口部６が設けられ、囲い部３の内側に沿ってシート材21を着脱可能に設けたから、囲い部３の内面に沿ってシート材21を着脱可能に設けることができる。
【００３９】
また、請求項３の考案は、シート材21が囲い部３の略全周に設けられ、シート材21を囲い部３の周方向で複数に分割した分割シート材22，22を備えるから、シート材21を分割することにより、着脱を容易に行うことができる。
【００４０】
また、請求項４の考案は、分割シート材22の端部22Ｔが着脱可能に係止する係止受け部たるリング23を備えるから、分割シート材22の端部22Ｔをリング23に係止することにより、囲い部３に分割シート材22を取り付けることができる。
【００４１】
また、請求項５の考案は、囲い部３の角部３Ｋは湾曲状に形成され、分割シート材22が角部３Ｋの内側に沿って屈曲する可撓性を有するから、真直ぐな分割シート材22を撓ませるようにして囲い部３の角部３Ｋに沿って取り付けることができる。
【００４２】
また、請求項６の考案は、係止受け部たるリング23は囲い部３の隣り合う角部３Ｋ，３Ｋの間の縦部材12に設けられると共に、この縦部材12の内側にリング23が設けられ、このリング23の両側に、周方向に隣合う分割シート材22，22の端部22Ｔ，22Ｔの内面がそれぞれ着脱可能に係止し、この係止状態で分割シート材22の外面が横部材11の内側又は縦部材12の内側に当接するから、１箇所の係止受け部たるリング23に両側の分割シート材22，22の端部22Ｔ，22Ｔを係止することができ、分割シート材22の内面がリング23に係止すると共に、分割シート材22の外面が横部材11又は縦部材12に当接することにより、分割シート材22を安定して取り付けることができ、また、取り外す際は、リング23から分割シート材22の端部22Ｔを外せばよく、取り外しも容易に行うことができる。
【００４３】
また、実施例上の効果として、シート材21を用いることにより、横部材11が上段と中段と下段の３つで済む。
【実施例２】
【００４４】
図３〜図４は、本発明の実施例２を上記実施例１と同一部分に同一符号を付し、その詳細な説明を省略して詳述する。この例では、実施例１に比べて囲い部短辺部３Ｓが長く形成されており、この囲い部短辺部３Ｓの中央に前記縦線材12を設けると共に、この縦線材12にリング23を設けている。
【００４５】
そして、シート材21は、４箇所の縦線材12，12，12，12の位置において分割された４枚の同形の分割シート材22，22，22，22からなる。
【００４６】
このように本実施例では、上記実施例１と同様な作用・効果を奏する。
【００４７】
また、このようにシート材21の分割箇所及び分割数は適宜選定可能であり、この例のように囲い部短辺部３Ｓが長く形成されている場合は、囲い部短辺部３Ｓの途中でシート材21を分割することにより、分割シート材22が角部３Ｋに沿い易くなる。
【実施例３】
【００４８】
図５は、本発明の実施例３を上記実施例１と同一部分に同一符号を付し、その詳細な説明を省略して詳述する。この例では、中段の横線材11に代えて横部材として金属製帯板からなる板状部材24を囲い部３に設けている。また、その板状部材24には打ち抜きなどにより貫通部25又は切欠き部を設け、その貫通部25は、星型、ハート型、角型などであり、貫通部25を通して分割シート材22が視認され、貫通部25があたかも浮き上がったかのように見える。また、分割シート材22により内部の食器類26が隠れる。
【００４９】
このように本実施例では、上記各実施例と同様な作用・効果を奏する。
【００５０】
また、本実施例では、請求項７に対応して、囲い部３の開口部６に、貫通部25又は切欠き部を有する板状部材24を設け、この板状部材24は横線材11又は縦線材12に固定され、外側から貫通部25又は切欠き部を通してシート材21を視認可能に構成し、シート材21の高さが最下段と最上段の横部材11の間隔に対応しているから、貫通部25又は切欠き部がシート材の色で浮かび上がって見え、また、シート材21の高さが最下段と最上段の横部材11，11の間隔に対応しているから、囲い部３の略全体をシート材21で覆うことができる。
【００５１】
尚、本考案は、本実施例に限定されるものではなく、本考案の要旨の範囲内で種々の変形実施が可能である。例えば、実施例では、実施例では、シート材の高さ（幅）を囲い部と同一にしたが、下段の開口部のみを覆う高さにしてもよい。また、シート材は少なくとも下段の開口部を塞ぐものであればよい。さらに、囲い部の高さを実施例のものに比べて高くしたり、低くしたりすることもでき、また、実施例では、横線材を３段に設けた囲い部を示したが、横線材は２段でも、４段以上でよく、さらに、上下に隣り合う横線材の間隔も適宜選定可能である。また、係止受け部は、実施例のリングに限らず各種の形状のものを用いることができる。
【符号の説明】
【００５２】
１  水切り籠
２  底部
３  囲い部
６  開口部
11  横線材
12  縦線材
21  シート材
22  分割シート材
23  リング（係止受け部）
24  板状部材
25  貫通部
26  食器類
【図１】
0003183275.tif 000003
【図２】
0003183275.tif 000004
【図３】
0003183275.tif 000005
【図４】
0003183275.tif 000006
【図５】
0003183275.tif 000007